【手続補正書】
【提出日】平成29年2月23日(2017.2.23)
【手続補正１】
【補正対象書類名】特許請求の範囲
【補正対象項目名】全文
【補正方法】変更
【補正の内容】
【特許請求の範囲】
【請求項１】
パワーモジュールと、
取入れ口及び排出口を含むハウジングと、
ここでハウジングは、パワーモジュールを保持するように構成され、第１ユニットと、第１ユニットに接続可能な第２ユニットとを備える、
ハウジングに着脱可能に接続されるように構成されたスリーブと、
ここでスリーブは、スリーブ取入れ口、スリーブ排出口、インジェクターポート、及び点火プラグポートを含み、第１ユニット及び第２ユニットは、ハウジング取入れ口とスリーブ取入れ口との間に実質的に漏れの無い取入れ口流路を形成するため、及びハウジング排出口とスリーブ排出口との間に実質的に漏れの無い排出口流路を形成するために、厳しい許容範囲のプレスあるいはクランプ係合の一つによってスリーブと静的に相互作用するように構成され、ここでスリーブは第１スリーブであり、第１スリーブは、第１スリーブのスリーブ取入れ口、スリーブ排出口、インジェクターポート、及び点火プラグポートと異なる、対応するスリーブ取入れ口、スリーブ排出口、インジェクターポート、及び点火プラグポートの少なくとも一つを有する第２スリーブと交換可能に構成され、ここで第２スリーブは、第１スリーブと比較して、内燃機関のトルク出力、内燃機関の電力出力、内燃機関の燃料タイミング、及び内燃機関の点火タイミングの少なくとも一つを変更するよう構成されている、
を備えた回転式内燃機関。
【請求項２】
パワーモジュールは、ピストンヘッドを有しピストンクランクシャフトアセンブリに連結される少なくとも一つのピストンアセンブリを含む、請求項１に記載の回転式内燃機関。
【請求項３】
ピストンヘッドは、ピストンヘッドの上面において燃焼帯を設けるように構成された少なくとも一つの燃焼凹部を含む、請求項２に記載の回転式内燃機関。
【請求項４】
ピストンヘッドは、少なくとも一つの燃焼帯を実質的に密閉するように構成された少なくとも一つのピストンシールアセンブリに連結されている、請求項３に記載の回転式内燃機関。
【請求項５】
少なくとも一つのピストンシールアセンブリは、第１方向においてシールアセンブリの第１シールを付勢し、第１方向とは異なる第２方向においてシールアセンブリの第２シールを付勢するように構成されたばね部材を含む、請求項４に記載の回転式内燃機関。
【請求項６】
パワーモジュールは、ハウジング内の燃焼室を実質的に密閉するように構成された少なくとも一つのクロスオーバーシールアセンブリに連結されている、請求項１に記載の回転式内燃機関。
【請求項７】
クロスオーバーシールアセンブリは、第１方向においてクロスオーバーシールアセンブリの第１シールを付勢し、第１方向とは異なる第２方向においてクロスオーバーシールアセンブリの第２シールを付勢し、第１方向及び第２方向とは異なる第３方向において両方のシールを付勢するように構成されたばね部材を含む、請求項６に記載の回転式内燃機関。
【請求項８】
クロスオーバーシールアセンブリは、第１方向においてクロスオーバーシールアセンブリの第１シールを付勢し、第１方向とは異なる第２方向においてクロスオーバーシールアセンブリの第２シールを付勢し、第１方向及び第２方向とは異なる第３方向において両方のシールを付勢するように構成された流体又はガス加圧を含む、請求項６に記載の回転式内燃機関。
【請求項９】
クロスオーバーシールアセンブリは、ハウジング及びスリーブの少なくとも一つにおける噴射孔あるいは点火装置の穴の大きさよりも大きいアーク長さよりも大きな幅を有する、請求項６に記載の回転式内燃機関。
【請求項１０】
第２スリーブのスリーブ取入れ口及びスリーブ排出口の少なくとも一つは、第１スリーブの対応するスリーブ取入れ口及びスリーブ排出口と異なり、第１スリーブと比較して、内燃機関のトルク出力を変更するように構成されている、請求項１に記載の回転式内燃機関。
【請求項１１】
第２スリーブのスリーブ取入れ口及びスリーブ排出口の少なくとも一つは、第１スリーブの対応するスリーブ取入れ口及びスリーブ排出口と異なり、第１スリーブと比較して、内燃機関の馬力出力を変更するように構成されている、請求項１に記載の回転式内燃機関。
【請求項１２】
第２スリーブのスリーブ取入れ口及びスリーブ排出口の少なくとも一つは、第１スリーブの対応するスリーブ取入れ口及びスリーブ排出口と異なり、内燃機関の燃料タイミング及び内燃機関の点火タイミングの少なくとも一つを変更するように構成されている、請求項１に記載の回転式内燃機関。
【請求項１３】
少なくとも一つのリングシールアセンブリ、及びハウジングに連結される２つのカバープレートをさらに備え、少なくとも一つのリングシールアセンブリは、パワーモジュールとハウジングに連結される少なくとも一つのカバープレートとの間に配置され、リングシールアセンブリの圧縮は、空気的及び油圧的の少なくとも一つにて制御されている、請求項１に記載の回転式内燃機関。
【請求項１４】
ハウジングは、出力曲線対毎分回転数、及びトルク曲線対毎分回転数の少なくとも一つを変更するように構成された中心歯車アセンブリを有する少なくとも一つのカバープレートを含む、請求項１に記載の回転式内燃機関。
【請求項１５】
回転式内燃機関において使用するハウジングアセンブリであって、
取入れ口及び排出口を含むメインユニットと、
ここでメインユニットは、内燃機関用のパワーモジュールを保持するように構成され、第１ユニットと、第１ユニットに接続可能な第２ユニットとを備える、
メインユニットに着脱可能に連結するように構成されたスリーブと、
ここでスリーブは、スリーブ取入れ口、スリーブ排出口、インジェクターポート、及び点火プラグポートを含み、第１ユニット及び第２ユニットは、メインユニット取入れ口とスリーブ取入れ口との間に実質的に漏れの無い取入れ口流路を形成するため、及びメインユニット排出口とスリーブ排出口との間に実質的に漏れの無い排出口流路を形成するために、厳しい許容範囲のプレスあるいはクランプ係合の一つによってスリーブと静的に相互作用するように構成され、ここでスリーブは第１スリーブであり、第１スリーブは、第１スリーブのスリーブ取入れ口、スリーブ排出口、インジェクターポート、及び点火プラグポートと異なる、対応するスリーブ取入れ口、スリーブ排出口、インジェクターポート、及び点火プラグポートの少なくとも一つを有する第２スリーブと交換可能に構成され、ここで第２スリーブは、第１スリーブと比較して、内燃機関のトルク出力、内燃機関の電力出力、内燃機関の燃料タイミング、及び内燃機関の点火タイミングの少なくとも一つを変更するよう構成されている、
を備えたハウジングアセンブリ。
【請求項１６】
第２スリーブのスリーブ取入れ口及びスリーブ排出口の少なくとも一つは、第１スリーブの対応するスリーブ取入れ口及びスリーブ排出口と異なり、第１スリーブと比較して、内燃機関のトルク出力、内燃機関の電力出力、内燃機関の燃料タイミング、及び内燃機関の点火タイミングの少なくとも一つを変更するように構成されている、請求項１５に記載のハウジングアセンブリ。
【請求項１７】
第２スリーブのスリーブ取入れ口及びスリーブ排出口の少なくとも一つは、第１スリーブの対応するスリーブ取入れ口及びスリーブ排出口と異なり、第１スリーブと比較して、取入れ口流路及び排出口流路の少なくとも一つを変更するように構成されている、請求項１５に記載のハウジングアセンブリ。
【請求項１８】
回転式内燃機関の組立方法であって、
取入れ口、排出口、第１ユニット、及び第２ユニットを含むハウジングを設けること、
ハウジング内から第１スリーブを分離すること、
ここで第１スリーブは、スリーブ取入れ口、スリーブ排出口、インジェクターポート、及び点火プラグポートを含む、
内燃機関のトルク出力、内燃機関の電力出力、内燃機関の燃料タイミング、及び内燃機関の点火タイミングの少なくとも一つを変更するために、第１スリーブを、第１スリーブのスリーブ取入れ口、スリーブ排出口、インジェクターポート、及び点火プラグポートと異なる、対応するスリーブ取入れ口、スリーブ排出口、インジェクターポート、及び点火プラグポートの少なくとも一つを有する第２スリーブと交換すること、
ここで第１スリーブを第２スリーブと交換することは、ハウジング取入れ口と第２スリーブのスリーブ取入れ口との間に実質的に漏れの無い取入れ口流路を形成するため、及びハウジング排出口と第２スリーブのスリーブ排出口との間に実質的に漏れの無い排出口流路を形成するために、厳しい許容範囲のプレスあるいはクランプ係合の一つによって、第１ユニット及び第２ユニットが第２スリーブと静的に相互作用するように、ハウジング内に第２スリーブを接続することを含む、
ハウジングにパワーモジュールを配置すること、
を備えた組立方法。
【請求項１９】
ハウジングにパワーモジュールを連結することは、ハウジング内の燃焼室を実質的に密閉するように構成された少なくとも一つのクロスオーバーシールアセンブリを含むパワーモジュールを連結することをさらに備える、請求項１８に記載の組立方法。
【請求項２０】
第２スリーブのスリーブ取入れ口及びスリーブ排出口の少なくとも一つは、第１スリーブの対応するスリーブ取入れ口及びスリーブ排出口と異なり、第１スリーブと比較して、内燃機関のトルク出力、内燃機関の電力出力、内燃機関の燃料タイミング、及び内燃機関の点火タイミングの少なくとも一つを変更するように構成される、請求項１８に記載の組立方法。
【請求項２１】
パワーモジュールとハウジングに連結された少なくとも一つのカバープレートとの間にリングシールアセンブリを配置することをさらに備え、ここでリングシールアセンブリの圧縮は、空気的及び油圧的の少なくとも一つにて制御されている、請求項１８に記載の組立方法。
【請求項２２】
パワーモジュールと、
パワーモジュールを保持するように構成されたハウジングと、
ここでハウジングは、取入れ口及び排出口を含む、
スリーブ取入れ口、スリーブ排出口、及びインジェクターポートを含む第１スリーブと、
ここで第１スリーブは、ハウジング取入れ口とスリーブ取入れ口との間に実質的に漏れの無い取入れ口流路を形成するため、及びハウジング排出口とスリーブ排出口との間に実質的に漏れの無い排出口流路を形成するために、ハウジング内に着脱可能に接続可能である、
を備え、
ここで第１スリーブは、第１スリーブのスリーブ取入れ口、スリーブ排出口、及びインジェクターポートと異なる、対応するスリーブ取入れ口、スリーブ排出口、及びインジェクターポートの少なくとも一つを有する第２スリーブと交換可能に構成され、第２スリーブは、第１スリーブと比較して、内燃機関のトルク出力、内燃機関の電力出力、及び内燃機関の燃料タイミングの少なくとも一つを変更するよう構成されている、
回転式内燃機関。
【請求項２３】
回転式内燃機関において使用するハウジングアセンブリであって、
取入れ口及び排出口を含むメインユニットと、
ここでメインユニットは、内燃機関用のパワーモジュールを保持するように構成される、
スリーブ取入れ口、スリーブ排出口、及びインジェクターポートを含む第１スリーブと、
ここで第１スリーブは、メインユニット取入れ口とスリーブ取入れ口との間に実質的に漏れの無い取入れ口流路を形成するため、及びメインユニット排出口とスリーブ排出口との間に実質的に漏れの無い排出口流路を形成するために、メインユニットにおいて着脱可能に接続可能である、
を備え、
ここで第１スリーブは、第１スリーブのスリーブ取入れ口、スリーブ排出口、及びインジェクターポートと異なる、対応するスリーブ取入れ口、スリーブ排出口、及びインジェクターポートの少なくとも一つを有する第２スリーブと交換可能に構成され、第２スリーブは、第１スリーブと比較して、内燃機関のトルク出力、内燃機関の電力出力、及び内燃機関の燃料タイミングの少なくとも一つを変更するよう構成されている、
ハウジングアセンブリ。
【請求項２４】
回転式内燃機関の組立方法であって、
取入れ口及び排出口を含むハウジングを設けること、
ハウジング内から第１スリーブを分離すること、
ここで第１スリーブは、スリーブ取入れ口、スリーブ排出口、及びインジェクターポートを含む、
内燃機関のトルク出力、内燃機関の電力出力、及び内燃機関の燃料タイミングの少なくとも一つを変更するために、第１スリーブを、第１スリーブのスリーブ取入れ口、スリーブ排出口、及びインジェクターポートと異なる、対応するスリーブ取入れ口、スリーブ排出口、及びインジェクターポートの少なくとも一つを有する第２スリーブと交換すること、
ここで第１スリーブを第２スリーブと交換することは、ハウジング取入れ口と第２スリーブのスリーブ取入れ口との間に実質的に漏れの無い取入れ口流路が形成されるように、及びハウジング排出口と第２スリーブのスリーブ排出口との間に実質的に漏れの無い排出口流路が形成されるように、ハウジング内に第２スリーブを接続することを含む、
ハウジングにパワーモジュールを配置すること、
を備えた組立方法。
【請求項２５】
パワーモジュールと、
パワーモジュールを保持するように構成されたハウジングと、
ここでハウジングは、取入れ口及び排出口を含む、
スリーブ取入れ口、スリーブ排出口、インジェクターポート、及びグロープラグポートを含む第１スリーブと、
ここで第１スリーブは、ハウジング取入れ口とスリーブ取入れ口との間に実質的に漏れの無い取入れ口流路を形成するため、及びハウジング排出口とスリーブ排出口との間に実質的に漏れの無い排出口流路を形成するために、ハウジング内に着脱可能に接続可能である、
を備え、
ここで第１スリーブは、第１スリーブのスリーブ取入れ口、スリーブ排出口、インジェクターポート、及びグロープラグポートと異なる、対応するスリーブ取入れ口、スリーブ排出口、インジェクターポート、及びグロープラグポートの少なくとも一つを有する第２スリーブと交換可能に構成され、第２スリーブは、第１スリーブと比較して、内燃機関のトルク出力、内燃機関の電力出力、内燃機関の燃料タイミング、及び内燃機関の点火タイミングの少なくとも一つを変更するよう構成されている、
回転式内燃機関。
【手続補正２】
【補正対象書類名】明細書
【補正対象項目名】発明の名称
【補正方法】変更
【補正の内容】
【発明の名称】回転式内燃機関、ハウジングアセンブリ、及び回転式内燃機関の組立方法